(57)【要約】      （修正有）【課題】肥料が急速に失われることを避けることができ、直射日光、雑草の生育及び蚊の繁殖を抑制することができる多機能を兼ね備えた盆栽台を提供する。【解決手段】多機能を兼ね備えた盆栽台１は、上部部材１１とベース１２を含み、上部部材の中央には植物を挿通する第１貫通孔１１１が設けられており、植物の茎を第１貫通孔に進入可能とするスリット１１２が第１貫通孔に連なっており、上部部材は、スポンジ層及びスポンジ層の上下両側に装設された透水ネット層からなり、透水ネット層には精密な排気孔又は排水孔が全体に配置されており、当該ベースの中央には植物を挿通する第２貫通孔が設けられており、ベースユニット内には、肥料を載置するための施肥スペースと、貯水灌漑用の貯水スペースが設けられており、施肥スペースの底面には通水を可能とする複数の微細な孔が設けられている。【選択図】図１
0003219321.tif 000002
【実用新案登録請求の範囲】
【請求項１】
上部部材とベースを含み、
前記上部部材の中央には植物を挿通する第１貫通孔が設けられており、植物の茎を第１貫通孔に進入可能とするスリットが第１貫通孔に連なっており、上部部材は、スポンジ層及びスポンジ層の上下両側に装設された透水ネット層からなり、透水ネット層には精密な排気孔又は排水孔が全体に配置されており、
前記ベースと上部部材は連結されており、当該ベースは１つの以上のベースユニットが組み合わされてなり、当該ベースの中央には植物を挿通する第２貫通孔が設けられており、ベースユニット内には、肥料を載置するための施肥スペースと、貯水灌漑用の貯水スペースが設けられており、施肥スペースの底面には通水を可能とする複数の微細な孔が設けられており、且つ、貯水スペースの底面には、植物に持続的に水分を供給するための灌漑孔が１つだけ設けられており、ベースユニットの底部には、施肥スペース及び貯水スペースと土壌との間に特定の距離を維持する支持部材が設けられている多機能を兼ね備えた盆栽台。
【請求項２】
前記上部部材には、第１貫通孔の周囲に複数の調整部が設けられている請求項１に記載の多機能を兼ね備えた盆栽台。
【請求項３】
前記上部部材には位置決め孔が設けられている請求項１に記載の多機能を兼ね備えた盆栽台。
【請求項４】
前記スポンジ層は、樹脂スポンジ、植栽用スポンジ、発泡体又はロックウールのいずれかである請求項１に記載の多機能を兼ね備えた盆栽台。
【請求項５】
前記ベースユニットには、第２貫通孔と連結する開口が設けられている請求項１に記載の多機能を兼ね備えた盆栽台。
【請求項６】
前記ベースの底部には、前記ベースユニットを固定するための固定ピンが設けられている請求項１に記載の多機能を兼ね備えた盆栽台。
【請求項７】
前記支持部材の底部には、当該支持部材が土中に埋まってしまうことを防止するための支持プレートが設けられている請求項１に記載の多機能を兼ね備えた盆栽台。
【請求項８】
前記ベースユニットの内部には、収容スペースを複数の区間に仕切る仕切り板が設けられている請求項１に記載の多機能を兼ね備えた盆栽台。
【請求項９】
前記ベースユニットには、上部部材の上下方向の位置を決めるために位置決め孔に挿入するピンが設けられている請求項１に記載の多機能を兼ね備えた盆栽台。
【考案の詳細な説明】
【技術分野】
【０００１】
本考案は、盆栽台の上部に設けられたシートに関し、より詳細には、日光の暴露を低減することができ、肥料が迅速に喪失することを避け、蚊の繁殖を防ぐことができ、雑草の生育を抑制することができる多機能を兼ね備えた盆栽台に関する。
【背景技術】
【０００２】
自宅に植物を飾るためには植物を素早く健康的に生長させる必要があり、このために、日常的に水分補給をし続けるとともに日光に暴露しておくことが不可欠であるが、このプロセスでは必然的に以下の状況に遭遇する。
１．盆栽台に水分を供給するときに、盆栽台の底から水が迅速に流出してしまい、土壌に対して長期間水分を保持することができなくなる点。
２．土壌が太陽に長時間晒されることで素早く乾燥し、植物自体が土壌から充分な水分を吸収することができず土壌が乾きがちになってしまう点。
３．雨の日や給水時に肥料が素早く分解されて土壌に吸着されずに水ともに流出してしまうことで、肥料の栄養所が植物に完全に吸収されない点。
４．肥料の種類によっては蚊の繁殖を促進してしまうものもあり、環境衛生上の問題を引き起こすことがある点。
５．盆栽台に雑草が生い茂ってしまうことで、盆栽台の内部の栄養分が吸収され、植物の成長に悪影響を及ぼすだけではなく、その外観においても見栄えが悪くなってしまう点。
【０００３】
この点、従来の盆栽鉢を開示する文献としては、例えば特許文献１（実用新案登録第３１０６０７３号公報）がある。特許文献１に開示の盆栽鉢１は、粘土製の所定厚み有するほぼ円盤状上蓋体２と、これほぼ同一のほぼ下蓋体３とからなり、前記上蓋体２が適宜山形状体に被覆した後、ある程度硬くなりかつ固めた新聞紙などを山形状体内に埋め込み、下蓋体３の上に上蓋体２を被せた後、前記上蓋体２の適宜個所に一又は複数個の樹木類７を植える苗穴８を設け、素焼きと色付けとを付し、本焼きを施してなることを特徴とする。
【０００４】
上記特許文献１に開示の盆栽台を利用することで、遠赤外線効果を期待することができ、大形状のものから小形状のものにいたるものとして最適な盆栽鉢を提供することができる。
【０００５】
しかしながら、上述の問題があるため、本出願人は、長年に亘って関連分野の研究開発に従事し、上述の欠点を掘り下げて議論するとともに上述のニーズを踏まえて積極的に解決案を模索することによって本考案を完成させた。
【先行技術文献】
【特許文献】
【０００６】
【特許文献１】実用新案登録第３１０６０７３号公報
【考案の概要】
【考案が解決しようとする課題】
【０００７】
本考案の主な目的は、肥料が急速に失われてしまうことを避けることである。
【０００８】
本考案の２番目の目的は、直射日光を防ぐことである。
【０００９】
本考案のさらに別の目的は、雑草の生育及び蚊の繁殖を抑制することである。
【課題を解決するための手段】
【００１０】
上記の目的を達成するために、本考案の多機能を兼ね備えた盆栽台は、上部部材とベースとを含む。
【００１１】
上部部材の中央には植物を挿通する第１貫通孔が設けられており、植物の茎を第１貫通孔に進入可能とするスリットが第１貫通孔に連なっており、当該第１貫通孔の周囲に上部部材が配置される。上部部材には、植物の生長速度に応じて第１貫通孔の大きさを自在に調整可能な複数の調整部が設けられている。上部部材は、スポンジ層及びスポンジ層の上下両側に装設された透水ネット層からなり、透水ネット層には、細かく雑草の生育を阻害する精密な排気孔又は排水孔が全体に配置されており、スポンジ層は、吸熱性及び遮音性の観点から黒色のスポンジ層が最も優れている。
【００１２】
本考案の多機能を兼ね備えた盆栽台は、ベースと上部部材は連結されており、当該ベースは１以上のベースユニットが組み合わされてなり、当該ベースの中央には植物を挿通する第２貫通孔が設けられており、ベースユニット内には、肥料を載置するための施肥スペースと、貯水灌漑用の貯水スペースが設けられており、施肥スペースの底面には通水を可能とする複数の微細な孔が設けられており、且つ、貯水スペースの底面には、植物に持続的に水分を供給するための灌漑孔が１つだけ設けられており、ベースユニットの底部には、施肥スペース及び貯水スペースと土壌との間に特定の距離を維持する支持部材が設けられている。
【考案の効果】
【００１３】
本考案の多機能を兼ね備えた盆栽台の利点は以下の通りである。
１．肥料が直接流出してしまうことと栄養素が急速になくなってしまうことを避けることができる。
２．直射日光により土壌が乾燥することを防ぐことができる。
３．雑草の生長と蚊の繁殖を効果的に阻害することができる。
【図面の簡単な説明】
【００１４】
【図１】本考案の多機能を兼ね備えた盆栽台の上部部材の立体的な模式図である。
【図２】本考案の多機能を兼ね備えた盆栽台の上部部材の概略断面図である。
【図３】本考案の多機能を兼ね備えた盆栽台の上部部材の側面図である。
【図４】本考案のベースの立体的な模式図（１）である。
【図５】本考案のベースの上面図（１）である。
【図６】本考案のベースの立体的な模式図（２）である。
【図７】本考案のベースの上面図（２）である。
【図８】本考案の多機能を兼ね備えた盆栽台の上部部材を実装した状態の概略断面図である。
【考案を実施するための形態】
【００１５】
本考案の目的、機能、特徴及び構造をより詳細に理解されるべく、図面と併せて好ましい実施形態を説明する。
【００１６】
図１は、本考案の多機能を兼ね備えた盆栽台の上部部材の立体的な模式図であり、図２は、本考案の多機能を兼ね備えた盆栽台の上部部材の概略断面図である。図３は、本考案の多機能を兼ね備えた盆栽台の上部部材の側面図であり、図４は、本考案のベースの立体的な模式図（１）であり、図５本考案のベースの上面図（１）である。
【００１７】
本考案の多機能を兼ね備えた盆栽台１は、上部部材１１とベース１２とを含み、本考案において当該ベース１２は、第１実施形態の組み立てタイプと、第２実施形態の一体成型タイプとがある。
【００１８】
上部部材１１の中央には、図８に示すように、植物２を挿通させるための第１貫通孔１１１が設けられており、植物２（図８参照）の茎を第１貫通孔１１１に進入可能とするスリット１１２が第１貫通孔１１１に連なっている。上部部材１１には、植物２の成長速度に応じて第１貫通孔１１１の周囲に第１貫通孔１１１の大きさを調整するための複数の調整部１１３が設けられている。上部部材１１には、上部部材１１の位置を固定するための複数の位置決め孔（図示せず）が設けられており、上部部材１１は、スポンジ層１１４及びスポンジ層１１４の上下両側に装設された透水ネット層１１５からなり、透水ネット層１１５には精密な排気孔又は排水孔が全体に配置されている。ここで、スポンジ層１１４は、樹脂スポンジ、植栽用スポンジ、発泡体又はロックウール等の材料で作成することができる。また、スポンジ層１１４としては、黒色のスポンジ層１１４を用いることで、外観に優れかつ最良の吸熱性及び遮蔽効果を得ることができる。また、透水ネット層１１５は、外観の色合いに応じて多様な色彩を選択することができるし、盆栽の雰囲気や色合いに応じて異なる色彩を選択することができる。
【００１９】
ベース１２は、上部部材１１と連結されており、１つの以上のベースユニット１２１が組み合わされてなり、ベースユニット１２１がベース１２に組み付けられ、ベース１２の中央には植物２（図８参照）を挿通する第２貫通孔１２２が設けられており、ベースユニット１２１内には、肥料を載置するための施肥スペース１２３と、貯水灌漑用の貯水スペース１２４とが設けられている。施肥スペース１２３の底面には通水を可能とする複数の微細な孔１２３１が設けられており、且つ、貯水スペース１２４の底面には、植物２に持続的に水分を供給するための灌漑孔１２４１が１つだけ設けられている。ベースユニット１２１の底部には、施肥スペース１２３及び貯水スペース１２４と土壌との間に特定の距離を維持する支持部材１２５と、ベースユニット１２１を盆栽内に固定するための固定ピン１２６とが設けられている。支持部材１２５の底部には、支持部材１２５が土中に直接挿入されることを防止するための支持プレート１２５１が設けられている。施肥スペース１２３には、施肥スペース１２３を複数の区画に仕切るための仕切り板１２７が追加されていてもよい。また、風が吹き出したり、水が流れたりしたときにも上部部材１１が変位することを防止するために、ベースユニット１２１には、位置決め孔（図示せず）に挿入する複数のピン１２８が設けられていてもよい。
【００２０】
また、本考案のベース１２の外観は、図６及び図７に示すように、単一のベースユニット１２１によって形成することもでき、当該ベース１２の中央には、植物２を挿通させるための第２貫通孔１２２が設けられていてもよい。植物２の茎を第２貫通孔１２２に侵入させるための開口１２９が第２貫通孔１２２に連通して設けられており、ベースユニット１２１には、肥料３（図８参照）を載置するための施肥スペース１２３と、貯水灌漑用の貯水スペース１２４が設けられている。施肥スペース１２３の底面には通水を可能とする複数の微細な孔１２３１が設けられており、且つ、貯水スペース１２４の底面には、植物２に持続的に水分を供給するための灌漑孔１２４１が設けられている。ベースユニット１２１の底部には、施肥スペース１２３及び貯水スペース１２４と土壌との間に特定の距離を維持する支持部材１２５と、ベースユニット１２１を盆栽内に固定するための固定ピン１２６（図３）とが設けられている。また支持部材１２５の底部には、支持部材１２５が土中に直接挿入されることを防止するための支持プレート１２５１が設けられている。当該ベースユニットの内部には、収容スペースを複数の区間に仕切る仕切り板１２７が設けられていてもよい。また、風が吹き出したり、水が流れたりしたときにも上部部材１１が変位することを防止するために、ベースユニット１２１には、位置決め孔（図示せず）に挿入する複数のピン１２８が設けられていてもよい。
【００２１】
図８並びに図３、図４及び図５を併せて参照し、図８は、本考案の別の実施形態の多機能を兼ね備えた盆栽台の一例を示す概略図である。
【００２２】
本考案では、植物２の周囲を複数のベースユニット１２１が取り囲み、複数のベースユニット１２１を完全にベース１２に組み立てる必要があり、その組み立ての完了後に、植物２の茎を第２貫通孔１２２に挿入し、固定ピン１２６を盆栽の内部に土壌に挿入してベース１２の位置を固定することによって土壌に支持プレート１２５１（図２参照）を取り付ける。そして、植物に栄養分を供給するための肥料３を施肥スペース１２３内に均等に配置し、最終的に上部部材１１のスリット１１２（図１参照）の両端をそれぞれ左右に引っ張る。植物２の茎は、スリット１１２（図１参照）を通って第１貫通孔１１１（図１参照）に配置され、上部部材１１はベース１２の上方に配置され、ピン１２８によって上部部材１１に固定される。これにより上部部材１１を固定することによって本考案の創作物の施工が完了する。当該創作物によれば、雨水が流れ込んだときに上部部材１１が水で洗い流されるのを防止することができるとともに、強風によって上部部材１１が吹き飛ばされることを防止することができる。
【００２３】
さらに、上記構成を有する盆栽台に水が供給されたときには、まず、排気孔を通じてスポンジ層１１４に水が浸透し、スポンジ層１１４に水分が保持されて貯蔵される。そして、スポンジ層１１４に貯蔵可能な水分量を超えると、水分は第２スポンジ層を介して施肥スペース１２３及び貯水スペース１２４にゆっくりと導入される。そして、水が透水ネット１１５の底部から肥料３上にゆっくりと滴下されるので、肥料３が短時間で大量の水に晒されることがないので、長期間に亘って規則的に肥料３を溶解することができる。最後に、水が施肥スペース１２３に滴下され、微細な穴１２３１から土壌に溶解された肥料３が滴下されることによって植物２の育成に必要な栄養素が土壌に供給される。ここで、貯水スペース１２４の定年には１つの灌漑孔１２４１のみが設けられているだけであるため、貯水スペース１２４に落下した水は徐々に土壌に供給される。貯水スペース１２４の水分が灌漑孔１２４１を通じて土壌に滴下されることで水が蒸発する前に水が土壌に落下して土壌を湿らせることができる。
【００２４】
上部部材１１は、雨水の流入を防ぐとともに雨天時に肥料３が水で外部に流れ出てしまうことを効果的に防止することができる。また肥料３と土壌との距離を保つことができるので、肥料３が水中に漬かることを防ぐとともに鉢に水が溜まると栄養素を発生させることができる。また上部部材１１は、肥料３が不快な臭いを放つことを阻害するので、肥料３上で蚊が産卵することを防止することができる。灌漑孔１２４１は、土壌に水分を供給することによって土壌を長時間湿らせることができるとともに太陽光を遮ることによって雑草の生育を抑制する。これにより雑草に養分がとられて本来の植物の育成が阻害されることを防止し、効率的に植物を育成することが可能となる。
【００２５】
以上を要約すると、本考案の多機能を兼ね備えた盆栽台の特徴は以下の通りである。
１．雨が降って雨水が流れても肥料が直接洗い流されるのを避けるために上部部材を設けているので、溜めた水に肥料が漬かってしまうことを防止することができる。
２．上部部材によって肥料の不快な臭気が外部に放出することを阻止することができ、肥料を隔離することで蚊が散乱することを防ぐことができる。
３．直射日光による土壌乾燥を防ぐことができ、灌漑孔から連続的に水分を供給できるので、土壌を長時間湿らせることができ、土壌を乾燥させないようにでき、雑草の生育を効果的に抑制することができる。
【００２６】
本考案に関する国内外の技術情報文献を確認したところ、本考案がなされる前に同一又は類似の構造が存在しないという事実が判明した。このため、本考案及び本考案の類似製品の進歩性及び実用性が認められる。したがって、本考案は、「創造性」、「産業上の利用可能性」および「進歩性」という実用新案法上の登録要件を満たす。
【００２７】
上記の説明は、本発明の好ましい実施形態を説明したものに過ぎず、本明細書及び実用新案登録請求の範囲に適用される他の均等な構造的変更についても本考案の範囲に含まれるものとする。
【符号の説明】
【００２８】
１    多機能を兼ね備えた盆栽台
１１    上部部材
１１１    第１貫通孔
１１２    スリット
１１３    調整部
１１４    スポンジ層
１１５    透水ネット
１２    ベース
１２１    ベースユニット
１２２    第２貫通孔
１２３    施肥スペース
１２３１微細な孔
１２４  貯水スペース
１２４１  灌漑孔
１２５  支持部材
１２５１  支持プレート
１２６  固定ピン
１２７  仕切り版
１２８  ピン
１２９  開口
【図１】
0003219321.tif 000003
【図２】
0003219321.tif 000004
【図３】
0003219321.tif 000005
【図４】
0003219321.tif 000006
【図５】
0003219321.tif 000007
【図６】
0003219321.tif 000008
【図７】
0003219321.tif 000009
【図８】
0003219321.tif 000010